(57)【要約】シリンジ本体を開示し、シリンジ本体は、約０気圧（ａｔｍ）〜約８１気圧及び／又は約０気圧〜約１０９気圧のシリンジ本体の流体リザーバ内の圧力に耐えるように構成されている。シリンジ本体は、膨張装置と接続して使用されるように構成され得る。シリンジ本体は、１つ以上の補剛リブと補剛リップ部とを備え得る。シリンジ本体を膨張装置と接続して使用する方法も開示する。
2018519036.tif 000002
【特許請求の範囲】
【請求項１】
シリンジ本体であって、
近位端と遠位端とを含むバレルであって、プランジャを受容するように構成された、バレルと、
前記バレルの前記遠位端の少なくとも一部上に配設された１つ以上の補剛リブと、
前記バレルの前記遠位端の周縁部の少なくとも一部の周りに配設された補剛リップ部と、
を備える、シリンジ本体。
【請求項２】
前記バレルは、少なくとも約８１気圧（ａｔｍ）までの前記バレルの流体リザーバ内の圧力に耐えるように構成されている、請求項１に記載のシリンジ本体。
【請求項３】
前記補剛リップ部は、前記バレルの前記遠位端の外面に関して遠位に延びる、請求項１又は２に記載のシリンジ本体。
【請求項４】
前記１つ以上の補剛リブは、前記バレルの前記遠位端の外面に関して遠位に延びる、請求項１〜３のいずれか一項に記載のシリンジ本体。
【請求項５】
前記１つ以上の補剛リブは、前記バレルの前記遠位端の内面に関して近位に延びる、請求項１〜４のいずれか一項に記載のシリンジ本体。
【請求項６】
前記補剛リップ部は、第１の部分と第２の部分とを含み、前記第１の部分は、前記第２の部分に反対側に配設されており、前記第１の部分及び前記第２の部分のそれぞれは、前記バレルの前記遠位端の外面に関して遠位に延び、前記第１の部分の高さは、前記第２の部分の高さよりも大きい、請求項１〜５のいずれか一項に記載のシリンジ本体。
【請求項７】
前記バレルの遠位端に隣接して前記バレルと一体形成されたアダプタを更に備え、前記アダプタは、１つ以上の２次構成要素取り付け特徴部を含み、前記補剛リップ部の前記第１の部分は、前記アダプタに隣接して配設されている、請求項６に記載のシリンジ本体。
【請求項８】
高圧膨張装置と接続して使用されるように構成されたシリンジ本体であって、前記シリンジ本体は、
流体リザーバを画成する第１の壁部であって、前記流体リザーバは、プランジャを受容するように構成された、第１の壁部と、
前記流体リザーバの遠位端にて配設された第２の壁部であって、前記第２の壁部が少なくとも１つの補剛リブを含む、
第２の壁部と、
前記第２の壁部内に配設された注入口／排出口ポートと、を備え、
前記第１の壁部の遠位端は、環状補剛リップ部を形成する前記第２の壁部の周縁部に沿って前記第２の壁部に対して遠位に延びる、シリンジ本体。
【請求項９】
前記流体リザーバは、前記第１の壁部によって少なくとも部分的に取り囲まれた空間によって更に画成されており、プランジャシールと前記第２の壁部との間に配設されている、請求項８に記載のシリンジ本体。
【請求項１０】
前記第２の壁部は、実質的に円形である、請求項８又は９に記載のシリンジ本体。
【請求項１１】
前記環状補剛リップ部の第１の部分の高さは、前記環状補剛リップ部の第２の部分の高さよりも大きい、請求項８〜１０のいずれか一項に記載のシリンジ本体。
【請求項１２】
前記第２の壁部は、複数の補剛リブを含み、第１の複数の補剛リブの形状は、実質的に三角形である、請求項８〜１１のいずれか一項に記載のシリンジ本体。
【請求項１３】
第２の複数の補剛リブの形状は、実質的に台形である、請求項１２に記載のシリンジ本体。
【請求項１４】
前記第２の壁部は、複数の補剛リブを含み、前記複数の補剛リブは、実質的にダイヤモンドの形状を形成する、請求項８〜１３のいずれか一項に記載のシリンジ本体。
【請求項１５】
第１の補剛リブは、第１の弦を前記第２の壁部の外面に沿って画成する、請求項８〜１４のいずれか一項に記載のシリンジ本体。
【請求項１６】
第２の補剛リブは、第２の弦を前記第２の壁部の前記外面に沿って画成する、請求項１５に記載のシリンジ本体。
【請求項１７】
第３の補剛リブは、第３の弦を前記第２の壁部の前記外面に沿って画成する、請求項１６に記載のシリンジ本体。
【請求項１８】
前記シリンジ本体は、前記流体リザーバ内の少なくとも約８１気圧（ａｔｍ）までの圧力に耐えるように構成されている、請求項８〜１７のいずれか一項に記載のシリンジ本体。
【請求項１９】
前記シリンジ本体は、前記流体リザーバ内の少なくとも約１０９気圧までの圧力に耐えるように構成されている、請求項１８に記載のシリンジ本体。
【請求項２０】
前記少なくとも１つの補剛リブの第１の部分の高さは、前記少なくとも１つの補剛リブの第２の部分の高さよりも大きい、請求項８〜１９のいずれか一項に記載のシリンジ本体。
【請求項２１】
前記少なくとも１つの補剛リブの前記第２の部分は、前記シリンジ本体に対して、前記少なくとも１つの補剛リブの前記第１の部分の内方に半径方向に配設されている、請求項２０に記載のシリンジ本体。
【請求項２２】
高圧膨張装置のプランジャを変位させる方法であって、
高圧膨張装置を取得することであって、高圧膨張装置が、
シリンジ本体であって、前記シリンジ本体が１つ以上の補剛リブ及び補剛リップ部を含み、前記１つ以上の補剛リブ及び前記補剛リップ部のそれぞれが、前記シリンジ本体の遠位端にて配設されている、シリンジ本体と、前記シリンジ本体内のプランジャと、前記シリンジ本体の内面によって少なくとも部分的に取り囲まれた空間によって画成され、かつプランジャシールと前記シリンジ本体の前記遠位端との間に配設された流体リザーバとを含む、ことと、
約０気圧（ａｔｍ）〜約８１気圧の圧力が前記流体リザーバ内に生成されるように前記プランジャを変位させることと、を含み、前記シリンジ本体は、前記流体リザーバ内の少なくとも約８１気圧までの圧力に耐えるように構成されている、方法。
【発明の詳細な説明】
【技術分野】
【０００１】
［関連出願］
本願は、２０１５年７月６日に出願された米国仮特許出願第６２／１８８，９８２号、表題「Ｒｅｉｎｆｏｒｃｅｄ  Ｓｙｒｉｎｇｅ  Ｂｏｄｙ」に対する優先権を主張するものであり、その全体が参照により本明細書に援用される。
【０００２】
本開示は、全般的に膨張装置と共に使用されるシリンジ本体に関する。より具体的には、本開示は、バルーンなどの医療用装置を膨張又は収縮させるために、ラインに沿って流体を加圧するか、減圧するか、又はさもなければ変位させるために使用されるように構成された補強シリンジに関する。
【図面の簡単な説明】
【０００３】
【図１Ａ】膨張装置の斜視図である。
【図１Ｂ】図１Ａの膨張装置の別の斜視図である。
【図１Ｃ】図１Ａの膨張装置の遠位端を示す図である。
【図２Ａ】シリンジ本体の側面図である。
【図２Ｂ】図２Ａのシリンジ本体の遠位端を示す図である。
【図２Ｃ】線２Ｃ−２Ｃから得た図２Ｂのシリンジ本体の断面図である。
【図３】図２Ａのシリンジ本体の斜視図である。
【図４】図２Ａのシリンジ本体の第２の斜視図である。
【図５】図２Ａのシリンジ本体の正面図である。
【図６】図２Ａのシリンジ本体の背面図である。
【図７】図２Ａのシリンジ本体の左側面図である。
【図８】図２Ａのシリンジ本体の右側面図である。
【図９】図２Ａのシリンジ本体の底面図である。
【図１０】図２Ａのシリンジ本体の上面図である。
【図１１】シリンジ本体の別の実施形態の一部の斜視図である。
【図１２】図１１のシリンジ本体の一部の正面図である。
【図１３】図１１のシリンジ本体の一部の断面斜視図である。
【発明を実施するための形態】
【０００４】
本明細書に開示される実施形態は、添付の図面と併用して、以下の記載及び添付の特許請求の範囲からより完全に明白となるであろう。これらの図面は、典型的な実施形態のみを描写しており、それらの実施形態は、図面と関連付けて追加の特異性及び詳細と共に記載されるであろう。
［詳細な説明］
【０００５】
膨張装置は、シリンジ本体を備えることができる。いくつかの構成において、シリンジ本体は、近位端及び遠位端を有するバレルつまりシリンジバレルを備え得、バレルは、プランジャを受容するように構成されている。シリンジ本体は、例えば、バレルの遠位端にてなど、バレルの少なくとも一部上に配設された１つ以上の補剛リブを更に備え得る。更に、シリンジ本体は、バレルの遠位端の周縁部の少なくとも一部の周りに配設された補剛リップ部を備え得る。１つ以上の補剛リブ及び／又は補剛リップ部は、シリンジ本体の少なくとも一部を補強及び／又は支持するように構成され得る。いくつかの実例において、シリンジ本体は、約８１気圧（ａｔｍ）まで、及び／又は、約１０９気圧まで、及び／又は、１０９気圧を超える、シリンジ本体の流体リザーバ内の圧力に耐えるように構成され得る。いくつかの実施形態において、シリンジ本体は、また、約０気圧〜約８１気圧の圧力、及び／又は、約０気圧〜約１０９気圧の圧力にて使用されるようにも構成され得る。
【０００６】
なお、様々な特徴は時々、開示を効率化する目的で、１つの実施形態、図面、又はその説明にまとめられるものとして認識される。多くのこれらの特徴は単独及び／又は互いに組み合わされて使用されてもよい。
【０００７】
実施形態は図面を参照して理解されてもよく、類似する部品は全体を通して類似する数字が割り当てられる。本開示の構成要素は、本明細書の図面にて一般的に説明されて図示されるように、広範囲の異なる構成で配置及び設計することができる。よって、以下の、装置の実施形態のより詳細な記載は、本開示の範囲を限定する意図はなく、本開示の可能な実施形態の単なる代表的なものである。幾つかの場合では、周知の構造、材料、又は動作が示されないか詳細に説明されない。実施形態の様々な態様が図面で提示される一方で、図面は、具体的に示されない限りは縮尺に合わせて描かれているとは限らない。
【０００８】
「接続される」、「連結される」、及び「連通される」の表現は、２つ以上の実体間での機械、電気、磁気、電磁気、液体、及び熱的相互作用を含むがそれらに限定されない相互作用の任意の形態を指す。２つの構成要素は、互いに直接接触していないとしても、互いに連結され得る。例えば、２つの構成要素は、中間構成要素を介して互いに結合され得る。
【０００９】
用語「近位」及び「遠位」は、本明細書に開示されるデバイスを含む医療デバイスの両端を指す。本明細書にて用いるように、医療装置の近位部分は使用中に施術者に最も近い部分であり、遠位部分はその反対側の端の部分である。例えば、シリンジ本体の近位端は、シリンジ本体の使用中に（膨張装置に関連して）施術者に最も近い端部として定義される。遠位端は、近位端とは反対側の、シリンジ本体の長手方向に沿った端部である。
【００１０】
「流体」という用語は、その広い意味で使用されて、概して流体として働く液体及び気体の両方、並びに溶液、化合物、懸濁液などを含む任意の流体を指す。
【００１１】
図１Ａ〜図１Ｃは、シリンジ本体を備える膨張装置の異なる図を示す。図２Ａ〜図１０は、シリンジ本体の異なる図を示す。ある特定の図において、シリンジ本体は、全ての図には含まれない追加の構成部品に連結され得るか、又は追加の構成部品と示され得る。更に、いくつかの図において、構成部品の関係に詳細を提供するために選択された構成部品のみが図示される。いくつかの構成部品は、複数の図で示され得るが、全ての図に関連して論じられていない。図に関連して提供される開示は、任意の他の図に関連して提供される開示と関係しており、かつ適用可能である。
【００１２】
本明細書における例示的なシリンジ構成のいずれかに関連して開示される任意及び全ての構成部品は任意選択であり得る。すなわち、シリンジ本体はプランジャを受容するように構成された構成要素を広義に指すが、「シリンジ」という用語の使用は、全ての開示するシリンジ構成要素が常に存在することを意味するわけではない。むしろ、その用語は、広く使用され、構成部品の集まりを指すが、具体的に、任意の特定の構成部品の包含を指すものではなく、又はそれを必要としない。同様に、ハンドル及びプランジャなど、本明細書に開示される他の大まかな群の構成部品はまた、個々の補助構成部品の集まりも指し得る。各補助構成部品が全ての実施形態に存在し得るか、又は存在し得ないとき、これらの用語の使用はまた、非限定的であると考えられる。
【００１３】
図１Ａは、膨張装置１００の斜視図である。膨張装置１００は、４つの大まかなグループの構成要素を含むことができる。各グループは、数多くの副構成要素及び部品を有することができる。４つの大まかな構成要素とは、シリンジ１３０、プランジャ１２０、ハンドル１１０及びディスプレイハウジング１６０である。いくつかの実施形態において、膨張装置１００は、バルーンなどの医療用装置を膨張又は収縮させるために、ラインに沿って流体を加圧するか、減圧するか、及び／又はさもなければ変位させるために使用される装置であり得る。
【００１４】
シリンジ１３０は、図示したように、プランジャ１２０を受容するように構成される概ね円柱状の中空管から形成されるシリンジ本体１３２を備えることができる。シリンジ本体１３２は、シリンジ本体１３２の遠位端１３４に又はそれに隣接して配設された注入口／排出口ポート１３５を含み得る。連結部材１３８はまた、シリンジ本体１３２の近位端１３３の又はそれに隣接したシリンジ本体１３２にも連結され得る。連結部材１３８は、プランジャ１２０が連結部材１３８を通過してシリンジ本体１３２内にわたることを可能にするように構成される中心孔を含み得る。更に、シリンジ本体１３２は、シリンジ本体１３２を結合部材１３８に選択的に連結するように構成されたねじ１３１（図２Ａを参照）を含み得る。
【００１５】
ハンドル１１０は、プランジャ１２０の近位端部に連結される構成部品の群を広く指し、そのうちのいくつかは、使用者によって把握可能であるように構成され得る。ある特定の実施形態において、ハンドル１１０は、使用者が、ハンドル１１０を操作することによって、プランジャ１２０の位置を操作し得るように構成され得る。更に、いくつかの実施形態において、ハンドル１１０は、膨張装置１００の構成部品を操作するように構成されるアクチュエータ機構であり得る。
【００１６】
図１Ｂは、図１Ａの膨張装置１００の別の斜視図であり、シリンジ本体１３２内に配設された副構成要素及び部品の少なくとも一部が見える。図示されたように、プランジャ１２０は、プランジャシャフト１２１の遠位端部でプランジャ封止部１２２に連結されるプランジャシャフト１２１を備えることができる。プランジャ１２０は、シリンジ本体１３２内に長手方向に変位可能であるように構成され得る。プランジャシャフト１２１はまた、プランジャシャフト１２１の近位端部でハンドル１１０に連結され得、プランジャシャフト１２１は、プランジャ封止部１２２とハンドル１１０との間の距離に広がる。
【００１７】
シリンジ本体１３２は、膨張装置１００（例えば、高圧膨張装置）に関連して使用されるように構成され得る。図１Ｂに示すように、シリンジ本体１３２は、第１の壁部１３７を備えることができ、第１の壁部１３７は、流体リザーバつまり空隙１３６を少なくとも部分的に画成する。流体リザーバ１３６は、プランジャ１２０の少なくとも一部を受容するように構成され得る。シリンジ本体１３２は、第２の壁部１３９を更に備え得、第２の壁部１３９は、流体リザーバ１３６の遠位端に配設することができる。第２の壁部１３９の形状は、実質的に円形とすることができる。図示されたように、流体リザーバ１３６は、第１の壁部１３７によって少なくとも部分的に取り囲まれ、プランジャ封止部１２２及び第２の壁部１３９のそれぞれの間に配設された空間つまり空隙によって画成され得る。その結果、シリンジ本体１３２に対するプランジャ封止部１２２の変位は、流体リザーバ１３６のサイズ及び容量を変化させることができる。
【００１８】
図示するように、第２の壁部１３９は、少なくとも１つの補剛リブ１４９を備え得、補剛リブ１４９を以下で更に詳細に説明する。シリンジ本体１３２はまた、注入口／排出口ポート１３５も備えることができ、注入口／排出口ポート１３５は、第２の壁部１３９の少なくとも一部に配設され得る。注入口／排出口ポート１３５は、流体が、流体リザーバ１３６に（すなわち、プランジャ１２０変位時に）流入出することを可能又は許容するように構成され得る。更に、第１の壁部１３７の遠位端は、第２の壁部１３９の円周部の少なくとも一部に沿って第２の壁部１３９に対して遠位に延びて、実質的に環状の補剛リップ部１４６を形成し得、補剛リップ部１４６についてもまた更に詳細に以下で説明する。
【００１９】
図１Ｃは、図１Ａの膨張装置１００の遠位端を示す図であり、本開示の実施形態による、ハンドル１１０、シリンジ１３０、ディスプレイハウジング１６０及びその副構成要素のサブセットの関係を示す。例えば、補剛リップ部１４６は、図示されたように、第２の壁部１３９の円周部の周りに配設され、複数の補剛リブ１４９は、第２の壁部１３９の外面上に配設されている。更に、注入口／排出口ポート１３５は、第２の壁部１３９の中心部に配設されている。いくつかの実施形態において、注入口／排出口ポート１３５は、第２の壁部１３９の別の部分に、又は、シリンジ１３０の別の部分に配設され得る。例えば、注入口／排出口ポート１３５は、第２の壁部１３９の縁部に又はそれに隣接して配設され得る。
【００２０】
図２Ａは、図１Ａのシリンジ本体１３２の側面図である。図示されたように、シリンジ本体１３２は、バレルつまりシリンジバレル１４０を備え得る。バレル１４０は、近位端１４３と遠位端１４４とを備え得る。いくつかの実施形態において、バレル１４０は、プランジャ１２０（図１Ａ及び図１Ｂを参照）を受容するように構成され得る。シリンジ本体１３２は、バレル１４０の遠位端１４４の周縁部の少なくとも一部の周りに配設された補剛リップ部１４６を更に備え得る。特定の実施形態において、補剛リップ部１４６は、バレル１４０の遠位端１４４の周縁部全体、又は実質的に周縁部全体の周りに配設され得る。特定の他の実施形態において、補剛リップ部１４６は、バレル１４０の遠位端１４４の周縁部の一部のみの周りに配設され得る。例えば、補剛リップ部１４６は、バレル１４０の遠位端１４４の周縁部の約１０％〜約１００％の周りに配設され得るか、補剛リップ部１４６は、バレル１４０の遠位端１４４の周縁部の約２５％〜約１００％の周りに配設され得るか、補剛リップ部１４６は、バレル１４０の遠位端１４４の周縁部の約５０％〜約１００％の周りに配設され得るか、又は、補剛リップ部１４６は、バレル１４０の遠位端１４４の周縁部の約７５％〜約１００％の周りに配設され得る。
【００２１】
いくつかの実施形態において、補剛リップ部１４６は、不連続であり得る。例えば、補剛リップ部１４６は、２つ以上のセグメントを備え得、第１のセグメントが、バレル１４０の遠位端１４４の周縁部の第１の部分の周りに配設され、第２のセグメントが、バレル１４０の遠位端１４４の周縁部の第２の部分の周りに配設され、補剛リップ部１４６の第１のセグメント及び補剛リップ部１４６の第２のセグメントは、不連続である。特定の実施形態において、補剛リップ部１４６は、３つの不連続セグメント、４つの不連続セグメント、５つの不連続セグメントなどを備え得る。
【００２２】
図２Ａを再び参照すると、シリンジ本体１３２は、アダプタ１５１など、２次構成要素をシリンジ本体１３２に結合するように構成された１つ以上の特徴部を更に備え得る。いくつかの他の実施形態において、シリンジ本体１３２は、アダプタを備えていなくてもよい。アダプタ１５１は、シリンジ本体１３２に結合され得る。いくつかの実施形態において、アダプタ１５１は、シリンジ本体１３２と一体形成され得る。図示されたように、アダプタ１５１は、１つ以上の２次構成要素取り付け特徴部１５２を備えることができる。アダプタ１５１及び／又は１つ以上の２次構成要素取り付け特徴部１５２は、シリンジ本体１３２をディスプレイハウジング１６０（図１Ａ〜図１Ｃを参照）又は任意の他の好適な２次構成要素に結合するように構成され得る。様々な実施形態において、アダプタ１５１及び／又は１つ以上の２次構成要素取り付け特徴部１５２は、ディスプレイハウジング１６０又は任意の他の好適な２次構成要素をシリンジ本体１３２上に取り付けるように構成され得る。
【００２３】
いくつかの構成において、より大きな応力負荷が、アダプタ１５１の又はそれに隣接したシリンジ本体１３２の少なくとも一部にあり得る。例えば、アダプタ１５１の又はそれに隣接したシリンジ本体１３２の少なくとも一部は、シリンジ本体１３２の他の部分よりも多くの応力（すなわち、機械的応力）に晒されるか、又は、その応力下にあり得る。アダプタ１５１に又はそれに隣接して配設された１つ以上の補剛リブ及び／又は補剛リップ部１４６の少なくとも一部は、シリンジ本体１３２及び／又はバレル１４０の少なくとも一部を補強又は支持し得る。
【００２４】
図２Ｂは、図２Ａのシリンジ本体１３２の遠位端を示す図である。図示されたように、シリンジ本体１３２は、バレル１４０の遠位端の少なくとも一部上（すなわち、第２の壁部１３９上）に配設された第１の補剛リブ１４９ａと第２の補剛リブ１４９ｂとを備え得る。補剛リップ部１４６は、また、バレル１４０の遠位端にて（すなわち、第２の壁部１３９の周縁部の少なくとも一部の周りに）配設され得る。特定の実施形態において、補剛リブ及び補剛リップ部のそれぞれは、シリンジ本体から延びる一体形成された特徴部であり得る。例えば、補剛リブ及び補剛リップ部は、単一の単体特徴部であり得る。特定の他の実施形態において、補剛リブ及び補剛リップ部のそれぞれは、シリンジ本体に結合された別個に形成された要素であり得る。
【００２５】
図１Ａ及び図１Ｂを再び参照すると、プランジャ１２０がシリンジ本体１３２内で変位されるとき、圧力が、流体リザーバ１３６内で生成され得る。例えば、約５０気圧までの圧力が、流体リザーバ１３６内で生成され得るか、約６０気圧までの圧力が、流体リザーバ１３６内で生成され得るか、約７０気圧までの圧力が、流体リザーバ１３６内で生成され得るか、約８１気圧までの圧力が、流体リザーバ１３６内で生成され得るか、又は、約１０９気圧までの圧力が、流体リザーバ１３６内で生成され得る。いくつかの実施形態において、約０気圧〜約８１気圧の圧力が、流体リザーバ１３６内で生成され得る。いくつかの実施形態において、約０気圧〜約１０９気圧の圧力が、流体リザーバ１３６内で生成され得る。
【００２６】
シリンジ本体１３２及び／又はバレル１４０は、少なくとも約５０気圧、約６０気圧、約７０気圧、約８１気圧及び約１０９気圧の流体リザーバ１３６内の圧力に耐えるように構成され得る。補剛リップ部１４６及び／又は補剛リブ１４９（例えば、第１の補剛リブ１４９ａ及び第２の補剛リブ１４９ｂ）は、本明細書で説明するように、シリンジ本体１３２及び／又はバレル１４０が、破壊、破裂、割れ、変形、又は、さもなければ特定の状態下の（すなわち、流体リザーバ１３６内の特定の圧力下にある）不具合を回避するか又は抗し得るように、シリンジ本体１３２及び／又はバレル１４０の少なくとも一部を補強又は支持し得る。例えば、シリンジ本体１３２及び／又はバレル１４０の第１の部分（すなわち、バレル１４０の遠位端の一部）は、圧力が流体リザーバ１３６内で増大したときに、シリンジ本体１３２の第２の部分及び／又はバレル１４０よりも高い応力負荷を受ける恐れがある。例えば、シリンジ本体１３２及び／又はバレル１４０の２つ以上の構成要素の継手及び／又は接合部にて応力又は応力の増大があり得る。したがって、シリンジ本体１３２及び／又はバレル１４０の第１の部分は、シリンジ本体１３２の第２の部分の前に破壊、破裂、変形、又は、さもなければ不具合が発生しやすい恐れがある。シリンジ本体１３２及び／又はバレル１４０のそのような部分（すなわち、第１の部分）の又はそれに隣接した１つ以上の補剛リップ部１４６及び／又は１つ以上の補剛リブ１４９の配置は、シリンジ本体１３２及び／又はバレル１４０の故障を制限又は防止し得る。
【００２７】
シリンジ本体の故障は、膨張装置が使用され得る最大圧力を制限し得る。例えば、シリンジ本体が故障（すなわち、破壊、破裂、亀裂、及び／又は変形）したとき、シリンジ本体内の急速な圧力降下が起こり得る。医療装置が膨張装置に結合されているとき、これによってもまた、結果的に医療装置内の急激な、予想外の圧力降下となり得る。
【００２８】
補剛リブ１４９の形状は、変動し得る。図２Ｂに示すように、例えば、第１の補剛リブ１４９ａの形状は、実質的に三角形とすることができ、第２の補剛リブ１４９ｂの形状は、実質的に台形とすることができる。様々な実施形態において、第１の複数の補剛リブの形状は、実質的に三角形であり得、第２の複数の補剛リブの形状は、実質的に台形であり得る。他の実施形態において、補剛リブ１４９の形状は、実質的に円形、実質的に線形、実質的に長円形、実質的に矩形か、又は、実質的に四角形であり得る。任意の他の好適な形状も使用することができる。例えば、補剛リブ１４９の形状は、不規則（すなわち、従来、定義された形状ではない）とすることができる。同様に、補剛リップ部１４６の形状もまた、変動する可能性がある。図２Ｂに示すように、例えば、補剛リップ部１４６は、実質的に円形とすることができる。補剛リップ部１４６の形状は、少なくとも部分的に、シリンジ本体１３２及び／又はバレル１４０の形状などの様々な要因のために変動し得る。
【００２９】
いくつかの実施形態において、シリンジ本体は、２つ以上の補剛リブを備え得る。そのような実施形態において、それぞれの補剛リブは、異なる形状を有し得るか、それぞれの補剛リブは、実質的に同じ形状を有し得るか、又は、補剛リブは、形状の任意の組み合わせを有し得る（即ち、第３の補剛リブが実質的に直線であり得、一方、第１及び第２の補剛リブは、実質的に円形であり得る）。
【００３０】
１つ以上の補剛リブは、実質的にダイヤモンドの形状を形成し得る。図２Ｂに示すように、例えば、第１の補剛リブ１４９ａの形状は、実質的に三角形とすることができ、第２の補剛リブ１４９ｂの形状は、実質的に台形とすることができる。更に、実質的に三角形の第１の補剛リブ１４９ａは、実質的にダイヤモンドの形状が形成されるように実質的に台形の第２の補剛リブ１４９ｂに隣接して配設することができる。様々な他の実施形態において、単一の補剛リブ又は３つ又はそれ以上の補剛リブもまた、実質的にダイヤモンドの形状を形成し得る。
【００３１】
いくつかの実施形態において、第１の補剛リブが、第１の弦を第２の壁部の外面に沿って画成し得、第２の補剛リブが、第２の弦を第２の壁部の外面に沿って画成し得、及び／又は、第３の補剛リブが、第３の弦を第２の壁部などの外面に沿って画成し得る。１つ以上の補剛リブの他の構成もまた、本開示の範囲内である。例えば、１つ以上の補剛リブは、ハブアンドスポーク方式の形状を形成し得る（すなわち、１つ以上の補剛リブのそれぞれは、第２の壁部の中心部から外向きに放射し得る）。別の実施例において、１つ以上の補剛リブは、星印形状を形成し得る。特定の実施形態において、１つ以上の補剛リブ及び／又は補剛リップ部の構成は、流体リザーバがシリンジ本体の故障の前に加圧され得る最大圧力を少なくとも部分的に決定し得る。
【００３２】
図２Ｃは、線２Ｃ〜２Ｃから切り取った図２Ｂのシリンジ本体１３２の断面図である。図示された実施形態において、補剛リップ部１４６は、バレル１４０の遠位端１４４の外面に関して遠位に延びることができる。同様に、１つ以上の補剛リブ１４９は、バレル１４０の遠位端１４４の外面に関して遠位に延び得る。換言すると、補剛リップ部１４６及び／又は１つ以上の補剛リブ１４９のそれぞれは、第２の壁部１３９の外面に関して遠位に延び得る。
【００３３】
いくつかの実施形態において、第１の補剛リブは、第２の補剛リブより遠位に延び得る。例えば、シリンジ本体１３２は、複数の補剛リブ１４９を備え得、複数の補剛リブ１４９のそれぞれは、異なる距離を延び得る。あるいは、複数の補剛リブ１４９のそれぞれは、実質的に同じ距離を延び得る。補剛リブ１４９延長距離又は高さ（すなわち、バレル１４０の遠位端１４４の外面からの補剛リブ１４９の延長部の距離）の他の組み合わせもまた、本開示の範囲内である。
【００３４】
いくつかの他の実施形態において、１つ以上の補剛リブは、バレル（図示せず）の遠位端の内面に関して近位に延び得る。例えば、１つ以上の補剛リブは、流体リザーバ内に配設され得る。
【００３５】
図２Ｃを再び参照すると、補剛リップ部１４６は、第１の部分１４６ａと第２の部分１４６ｂと備え得、第１の部分１４６ａは、第２の部分１４６ｂの反対側、又は実質的に反対側に配設されている。第１の部分１４６ａ及び第２の部分１４６ｂのそれぞれは、バレル１４０の遠位端１４４の外面に関して遠位に延び得る。図示するように、第１の部分１４６ａの高さは、第２の部分１４６ｂよりも大きくてもよい。いくつかの他の実施形態において、第１の部分１４６ａの高さは、第２の部分１４６ｂの高さを下回り得る。更にいくつかの他の実施形態において、第１の部分１４６ａの高さは、第２の部分１４６ｂの高さと実質的に同じであり得る。補剛リップ部１４６はまた、１つの部分、３つの部分、４つの部分、５つの部分、又は、任意の他の好適な数の部分も備え得、それぞれの部分は、任意の他の部分の高さに関して変動し得る高さを有する。
【００３６】
補剛リップ部１４６の第１の部分１４６ａは、図示されたように、アダプタ１５１に隣接して配設することができる。先に論じたように、より大きな応力負荷が、アダプタ１５１の又はそれに隣接したシリンジ本体１３２の少なくとも一部にあり得る。例えば、アダプタ１５１は、ディスプレイハウジング又は別の好適な２次構成要素に結合され得る。それゆえに、アダプタ１５１に又はそれに隣接して配設された、補剛リップ部１４６の別の部分に対して増大した又はより大きな高さを有する補剛リップ部１４６の部分は、シリンジ本体１３２及び／又はバレル１４０の少なくとも一部を補強又は支持し得る。例えば、第１の部分１４６ａは、図示されたように、アダプタ１５１の又はそれに隣接したシリンジ本体１３２の部分を補強又は支持し得る。
【００３７】
図３は、図２Ａのシリンジ本体１３２の斜視図である。図４は、図２Ａのシリンジ本体１３２の第２の斜視図である。図５は、図２Ａのシリンジ本体１３２の正面図である。図６は、図２Ａのシリンジ本体１３２の背面図である。図７は、図２Ａのシリンジ本体１３２の左側面図である。図８は、図２Ａのシリンジ本体１３２の右側面図である。図９は、図２Ａのシリンジ本体１３２の底面図である。図１０は、図２Ａのシリンジ本体１３２の上面図である。
【００３８】
図１１は、ある点では上記のシリンジ本体１３２と類似しているシリンジ本体２３２の一部の斜視図である。したがって、同様の特徴は、先頭の桁が「２」に増分されて同様の参照番号が割り当てられる。例えば、図１１に示す実施形態は、いくつかの点では、図１〜図１０の補剛リップ部１４６と類似し得る補剛リップ部２４６を含む。よって、同様に識別された特徴に関する関連性のある上述される開示は、以後繰り返されなくてもよい。更に、図１〜図１０に示されるシリンジ本体及び関連する構成要素の特有の特徴は、図面の参照番号で示されないか識別されない、又は具体的にそれ以降に記載される説明にて取り上げられない場合がある。しかしながら、かかる特徴は、他の実施形態に図示される及び／又はかかる実施形態に対して説明される特徴として、明白に同一であるか、実質的に同一であってもよい。したがって、かかる特徴の関連する記載は、図１１に示すシリンジ本体２３２及び関連構成要素の特徴と同等に適用される。図１〜図１０に図示されたシリンジ本体１３２及び関連構成要素に対して記載される特徴の任意の好適な組み合わせ、並びにそれらの変更例は、図１１のシリンジ本体２３２及び関連構成要素と使用可能であり、逆も同様である。このパターンでの開示は、続く図面及び以後に説明される更なる実施形態に同等に適用される。このとき、先頭の桁は、更に増分される場合がある。
【００３９】
図１１、図１２及び図１３に示すように、シリンジ本体２３２は、流体リザーバを画成する第１の壁部２３７と第２の壁部２３９とを備え得る。注入口／排出口ポート２３５が、流体リザーバと流体連通し得る。図示された実施形態において、シリンジ本体は、ディスプレイハウジング２６０を更に備える。いくつかの実施形態において、ディスプレイハウジング２６０は、シリンジ本体２３２と一体形成され得る。
【００４０】
シリンジ本体２３２は、補剛リップ部２４６と１つ以上の補剛リブ２４９とを備え得る。補剛リップ部２４６及び補剛リブ２４９は、シリンジ本体２３２の遠位端に又はそれに隣接して配設され得る。補剛リブ１４９の場合と同様に、及び、補剛リップ部１４６は、構造支持、補強、強度、剛性及び／又は他の特性又は属性をシリンジ本体２３２に提供し得る。
【００４１】
図１１、図１２及び図１３の実施形態において、補剛リップ部２４６は、シリンジ本体２３２の周縁部の周りに延び、環状リングを画成し得る。補剛リブ２４９は、補剛リップ部２４６からシリンジ本体２３２の中心に向かって中に半径方向に延び得る。例えば、補剛リブ２４９は、シリンジ本体２３２の半径に沿って内方に延び得る。他の実施形態において、補剛リブ２４９は、シリンジ本体２３２の弦に沿って配設され得る。
【００４２】
更に、いくつかの実施形態、例えば、補剛リブ２４９がシリンジ本体２３２の中心に向かって延びる実施形態において、補剛リブ２４９は、補剛リップ部２４６の同じ長手方向の位置に遠位に延び得るが、シリンジ本体２３２の中心に向かって傾斜し得る。換言すると、補剛リブ２４９は、異なる高さまで延び、及び／又は、シリンジ本体２３２の周縁部近傍により高くなり、シリンジ本体２３２の中心に向かって短くなり得る。いくつかのそのような実施形態において、補剛リブ２４９は、線形の又は連続的な勾配に沿ってシリンジ本体２３２の中心に向かって延び得、他の実施形態において、補剛リブ２４９は、非線形又は不連続な勾配に沿って延び得る。いくつかの実例において、シリンジ本体２３２の中心に向かってより短い補剛リブ２４９は、注入口／排出口ポート２３５へのチューブ又は他の要素の結合に適応するか、又はさもなければ促進し得る。
【００４３】
シリンジ本体、又は、膨張装置と接続して使用されるように構成されたシリンジ本体の使用に関係する方法もまた本明細書で開示する。いくつかの実施形態において、膨張装置（例えば、高圧膨張装置）のプランジャを変位させる方法は、膨張装置を取得することを含み得る。膨張装置は、シリンジ本体と、シリンジ本体内に配設されたプランジャとを備え得る。更に、シリンジ本体は、１つ以上の補剛リブ及び／又は補剛リップ部を備え得、１つ以上の補剛リブ及び／又は補剛リップ部のそれぞれは、シリンジ本体の遠位端に又はそれに隣接して配設されている。シリンジ本体は、シリンジ本体の内面によって少なくとも部分的に取り囲まれた空間によって画成され、かつプランジャシールとシリンジ本体の遠位端との間に配設された、流体リザーバも備え得る。膨張装置のプランジャを変位させる方法は、約０気圧〜約８１気圧の圧力が流体リザーバ内で生成されるようにプランジャを変位させることを更に含み得る。膨張装置のプランジャを変位させる方法はまた、プランジャを、約０気圧〜約１０９気圧の圧力が流体リザーバ内で生成されるように変位させることも更に含み得る。特定の実施形態において、シリンジ本体は、流体リザーバ内の少なくとも約０気圧〜約８１気圧の圧力に耐えるように構成され得る。様々な実施形態において、シリンジ本体は、流体リザーバ内の少なくとも約０気圧〜約１０９気圧の圧力に耐えるように構成され得る。認識することができるように、更なる方法及び／又は方法のステップを図１Ａ〜図１０及び対応する本開示から導出することができる。
【００４４】
本明細書に開示されるいかなる方法も、記載されている方法を実行する１つ又は２つ以上のステップ又は操作を含む。方法のステップ及び／又は操作は、互いに入れ替えてもよい。換言すれば、ステップ又は操作の特定の順序が実施形態の適切な実施に必要とされない限り、特定のステップ及び／又は操作の順序及び／又は使用を変更してもよい。
【００４５】
近似値への参照は本明細書全体にわたって、例えば用語「実質的に」の使用によって行われる。かかる参照のそれぞれについて、いくつかの実施形態では、値、特徴、又は特性は近似値なしで特定されてもよいように理解される。例えば、「約」及び「実質的に」などの修飾句が用いられるところでは、これらの用語は、その範囲内に、それらの修飾句が不在の場合での修飾される言葉を含む。例えば、用語「実質的に円形の」が特徴に対して用いられるところでは、更なる実施形態では、その特徴は正確に円形の構成を有することができるように理解される。
【００４６】
本明細書全体にわたる「ある実施形態」又は「その実施形態」への参照は、その実施形態に関連して説明される特定の特徴、構造、又は特性が少なくとも１つの実施形態に含まれることを意味する。よって、引用される表現、又はその変形は、この明細書を通して引用されるように、必ずしも全て同一の実施形態を参照しているとは限らない。
【００４７】
同様に、上の実施形態の記載において、様々な特徴は時々、開示を効率化する目的で、１つの実施形態、図面、又はその説明にまとめられるものとして認識されるべきである。この開示される方法は、しかしながら、その請求項に明示的に記載される特徴よりも多くの特徴をいかなる請求項が要するという意図を反映するように解釈されるものではない。むしろ、以下の請求項が反映するように、発明的な態様は、いかなる１つの上記の開示される実施形態の全ての特徴よりも少ない組み合わせにある。
【００４８】
この記載に続く請求項は本記載に明示的に組み込まれており、各請求項はそれぞれ個別に別々の実施形態として独立している。本開示は、独立請求項とそれらの従属請求項のあらゆる置き換えを含む。また、続く独立及び従属請求項から由来可能な追加の実施形態もまた、本記載に明示的に組み込まれている。
【００４９】
更なる推敲なく、当業者であれば、前の記載を本発明をその最大限まで活用するために用いることができると考えられる。本明細書に開示される請求項及び実施形態は、単に図示的且つ例示的であり、いかなる方法においても本開示の範囲の限定ではないように解釈されるものとする。当業者にとっては、本開示の助けをもって、上記の実施形態の詳細が本開示の根本にある原則から逸脱することなく変更可能であることは明白にわかるであろう。言い換えると、上の記載に具体的に開示される実施形態の様々な変形例及び改善は、添付請求項の範囲内である。更に、本明細書で開示する方法のステップ又は操作の順序は、本開示の範囲から逸脱することなく、当業者によって変更され得る。換言すれば、ステップ又は操作の特定の順序が実施形態の適切な実施に必要とされない限り、特定のステップ／又は操作の順序／又は使用を変更してもよい。したがって、本発明の範囲は以下の請求項及びそれらの等価物によって定義される。
【図１Ａ】
2018519036.tif 000003
【図１Ｂ】
2018519036.tif 000004
【図１Ｃ】
2018519036.tif 000005
【図２Ａ】
2018519036.tif 000006
【図２Ｂ】
2018519036.tif 000007
【図２Ｃ】
2018519036.tif 000008
【図３】
2018519036.tif 000009
【図４】
2018519036.tif 000010
【図５】
2018519036.tif 000011
【図６】
2018519036.tif 000012
【図７】
2018519036.tif 000013
【図８】
2018519036.tif 000014
【図９】
2018519036.tif 000015
【図１０】
2018519036.tif 000016
【図１１】
2018519036.tif 000017
【図１２】
2018519036.tif 000018
【図１３】
2018519036.tif 000019
【国際調査報告】
2018519036.tif 000020
2018519036.tif 000021
2018519036.tif 000022